(57)【特許請求の範囲】
【請求項１】
少なくとも放送コンテンツおよび該放送コンテンツの所要放送時間が含まれる情報を受信する放送受信部と、受信する放送コンテンツを選択する操作部と、操作部により選択された放送コンテンツを一時記録するＲＡＭと、ＲＡＭに一時記録された放送コンテンツを外部記憶媒体に記録する放送記録再生装置において、
前記放送記録再生装置は、前記外部記憶媒体を装着し、該装着した外部記憶媒体の空きの記憶容量を検出する容量検出部を有する外部記憶媒体装着部と、前記選択された放送コンテンツの所要放送時間から該放送コンテンツを前記外部記憶媒体に記録する際に必要となる記憶容量を算出する番組時間検出部と、前記番組時間検出部が算出した放送コンテンツの記録に必要な記憶容量と、前記容量検出部が検出した前記外部記憶媒体の空きの記憶容量とを比較する容量比較部と、前記放送コンテンツ中のコマーシャル部分を検出するＣＭ検出部と、前記放送コンテンツからコマーシャル部分を削除するＣＭ部分削除部と、制御部と、を備え、
前記容量比較部により、前記空きの記憶容量が前記放送コンテンツの記録に必要な記憶容量よりも小さいことが判別されると、前記ＣＭ検出部は前記放送コンテンツ中のコマーシャル部分を検出し、前記ＣＭ部分削除手段は前記ＲＡＭに一時記録された放送コンテンツから前記ＣＭ検出部が検出したコマーシャル部分を削除し、前記制御部は、前記コマーシャル部分が削除された放送コンテンツを前記外部記憶媒体に記録することを特徴とする放送記録再生装置。
【請求項２】
前記放送コンテンツは、ＴＶ番組またはラジオ番組であることを特徴とする請求項１に記載の放送記録再生装置。
【発明の詳細な説明】
【技術分野】
【０００１】
本発明は、アナログ放送やデジタル放送に対応したテレビジョン放送受信機能、ＡＭ放送やＦＭ放送に対応したラジオ放送受信機能などを持ち、放送コンテンツを受信して記録再生することができる放送記録再生装置に関するものであり、特に、放送コンテンツをＳＤカードなどの外部記憶媒体に記録する際に、放送コンテンツの記録に要する記憶容量と外部記憶媒体の残り記憶容量とを比較し、残り記憶容量が足りない場合には、放送コンテンツにおけるコマーシャル（ＣＭ）部分をカットして記録するようにした放送記録再生装置およびナビゲーション機能を有する放送記録再生装置に関するものである。
【背景技術】
【０００２】
従来から車載用のオーディオ装置として、ラジオ、テレビなどの放送波を選択受信してその受信した放送波を録音、録画する装置や、カセットテープ、コンパクトディスク（ＣＤ）、あるいはミニディスク（ＭＤ）などの可搬型記録媒体に記録されたコンテンツデータを再生する装置が提供されている。
【０００３】
また、小型のオーディオ・ビデオ装置やテレビ受信機などの電子装置を自動車内に設置する提案もなされており、このような車載用オーディオ装置や車載用オーディオ・ビデオ装置のように車両に設置することを考慮したオーディオ・ビデオ装置においては、ＣＤ等の可搬型記録媒体から読み込んだコンテンツデータをハードディスク（ＨＤＤ）等の記録手段に記録し、その記録したコンテンツデータを再生することができる他、ラジオやテレビ放送を受信して音声や画像データを録画（記録）することもできる。
【０００４】
また、ラジオ放送やテレビジョン放送を受信して、放送されたコンテンツを記憶媒体に記録する際、電子装置に内蔵されたハードディスク装置などの記憶媒体に録音、録画（記録）するだけでなく、外部記憶媒体装着部に装着した外部記憶媒体（例えば、ＳＤカード）などに記録することもできる。
【０００５】
例えば、下記の特許文献１（特開平１１−３９８４６号公報）には、録画（記録）が途中で中断されないようにした記録装置が開示されている。この、記録装置は、番組の録画を行う録画時間と、エンコーダボードが出力するＭＰＥＧシステムストリームのビットレートとが設定され、マイクロプロセッサにおいて、その録画時間およびビットレートに基づいて、録画を行うのに必要な記録容量である必要容量を算出し、ハードディスクに、必要容量以上の記録領域である必要領域が確保され、その必要領域にＴＶチューナで受信した番組を記録するように構成したものである。
【０００６】
ところで、内部記憶媒体あるいは外部記憶媒体に記録したコンテンツを再生する場合には、放送されたコンテンツに含まれるコマーシャル（以下、単にＣＭという）部分をスキップして当該コンテンツを視聴したいという利用者が多数存在する。下記の特許文献２（特開２００６−２５２６５１号公報）には、そのような要請に応えた録画再生装置が開示されている。
【０００７】
この特許文献２に開示された録画再生装置は、録画する番組からＣＭ部分を検出するＣＭ検出部と、録画した番組を再生する際に付随するＣＭ部分を視聴したかどうかを管理するＣＭ視聴管理部と、録画した番組の再生時に番組の本編とＣＭ部分とを分離して再生する分離再生制御部と、ＣＭ部分を視聴するまで録画装置から削除処理を禁止する削除可否判定部を備えることにより、録画した番組から本編部分とＣＭ部分を正確に分離して再生するように構成したものである。
【特許文献１】特開平１１−３９８４６号公報
【特許文献２】特開２００６−２５２６５１号公報
【発明の開示】
【発明が解決しようとする課題】
【０００８】
ところで、前述したような電子装置において、ラジオ放送やテレビジョン放送を受信して、放送コンテンツを外部記憶媒体、例えば、ＳＤカードなどの外部記憶媒体に記録する際に、外部記憶媒体の未使用の記憶領域の容量（残りの記憶容量）が十分ではない場合には、記録しようとしている放送コンテンツ（放送番組）の放送時間すなわち、記録に必要な記憶容量によっては、放送コンテンツの記録が途中で終了してしまうという問題点があった。
【０００９】
放送コンテンツを記録する際に外部記憶媒体の記憶容量の不足が予想される場合には、放送コンテンツ中に含まれるＣＭ部分を除いて記録できれば、放送コンテンツを最後まで記録できる確率が増す。しかしながら、上記特許文献２の技術では、再生時にＣＭをスキップすることはできても、録音、録画の際にＣＭを除いて記録することはできず、上記のような問題点を解消することができないという問題点が生ずる。
【００１０】
本発明は、上記の問題点を解消すべくなされたものであって、放送コンテンツをＳＤカードなどの外部記憶媒体に記録する際に、放送コンテンツの記録に要する記憶容量と外部記憶媒体の残り記憶容量とを比較し、残り記憶容量が足りない場合には、放送コンテンツからコマーシャル部分をカットして記録するようにした放送記憶再生装置およびナビゲーション機能を有する放送記憶再生装置を提供することを目的とするものである。
【課題を解決するための手段】
【００１１】
前記課題を解決するために、本願の請求項１にかかる発明は、少なくとも放送コンテンツおよび該放送コンテンツの所要放送時間が含まれる情報を受信する放送受信部と、受信する放送コンテンツを選択する操作部と、操作部により選択された放送コンテンツを一時記録するＲＡＭと、ＲＡＭに一時記録された放送コンテンツを外部記憶媒体に記録する放送記録再生装置において、
前記放送記録再生装置は、前記外部記憶媒体を装着し、該装着した外部記憶媒体の空きの記憶容量を検出する容量検出部を有する外部記憶媒体装着部と、前記選択された放送コンテンツの所要放送時間から該放送コンテンツを前記外部記憶媒体に記録する際に必要となる記憶容量を算出する番組時間検出部と、前記番組時間検出部が算出した放送コンテンツの記録に必要な記憶容量と、前記容量検出部が検出した前記外部記憶媒体の空きの記憶容量とを比較する容量比較部と、前記放送コンテンツ中のコマーシャル部分を検出するＣＭ検出部と、前記放送コンテンツからコマーシャル部分を削除するＣＭ部分削除部と、制御部と、を備え、
前記容量比較部により、前記空きの記憶容量が前記放送コンテンツの記録に必要な記憶容量よりも小さいことが判別されると、前記ＣＭ検出部は前記放送コンテンツ中のコマーシャル部分を検出し、前記ＣＭ部分削除手段は前記ＲＡＭに一時記録された放送コンテンツから前記ＣＭ検出部が検出したコマーシャル部分を削除し、前記制御部は、前記コマーシャル部分が削除された放送コンテンツを前記外部記憶媒体に記録することを特徴とする。
【００１２】
また、本願の請求項２にかかる発明は、請求項１にかかる放送記録再生装置において、前記放送コンテンツは、ＴＶ番組またはラジオ番組であることを特徴とする。
【発明の効果】
【００１３】
請求項１にかかる発明においては、前記容量比較部により、前記空きの記憶容量が前記放送コンテンツの記録に必要な記憶容量よりも小さいことが判別されると、前記ＣＭ検出部は前記放送コンテンツ中のコマーシャル部分を検出し、前記ＣＭ部分削除手段は前記ＲＡＭに一時記録された放送コンテンツから前記ＣＭ検出部が検出したコマーシャル部分を削除し、前記制御部は、前記コマーシャル部分が削除された放送コンテンツを前記外部記憶媒体に記録し、また、請求項２にかかる発明においては、請求項１にかかる放送記憶再生装置において、前記放送コンテンツは、ＴＶ番組またはラジオ番組である。
【００１４】
このような構成によれば、ラジオ放送やテレビジョン放送により放送された放送コンテンツをＳＤカードなどの外部記憶媒体に記録する際に、放送コンテンツを記録するために必要になる記憶容量に対して、外部記憶媒体の空きの記憶容量が足りない場合に、コマーシャルをカットして記録するので、記録しようとする放送コンテンツの記録が途中で終了してしまうという不都合が生じる確率を小さくすることができるようになる。
【発明を実施するための最良の形態】
【００１５】
以下、本発明の具体例を実施例及び図面を用いて詳細に説明する。
【００１６】
但し、以下に示す実施形態は、放送記録再生装置としてナビゲーション機能を有する車載用ナビゲーション装置を例示するものであるが、本発明をこの車載用ナビゲーション装置に特定することを意図するものではなく、特許請求の範囲に含まれるその他の実施形態の車載用ナビゲーション装置にも等しく適応し得るものである。
【実施例】
【００１７】
車載用ナビゲーション装置１は、図１に示すように、制御部１０、放送受信部１１、操作部１２、表示部１３、現在位置検出部１４、地図記憶部１５、外部記録媒体装着部１６、外部記憶媒体１７、容量検出部１８、アンテナ１９、番組時間検出部２０、容量比較部２１、ＣＭ検出部２２、ＣＭ部分削除部２３、を備えて構成されている。
【００１８】
制御部１０は、ＣＰＵ（図示せず）、ＲＯＭ１１０、ＲＡＭ１１１からなるプロセッサで構成され、ＲＯＭ１１０に記録された制御プログラムに従って車載用ナビゲーション装置１の各部の動作を制御するものである。
【００１９】
制御部１０は、また、後述する経路探索部１１２としても機能する他、ラジオ放送やテレビジョン放送の受信、録音、録画機能などの制御も行う。
【００２０】
放送受信部１１は、アンテナ１９を介してラジオやテレビジョン放送局からの放送電波を受信する。放送受信部１１が受信している放送がテレビジョン放送やラジオ等の音楽放送などの場合、使用者が操作部１２を介して受信する番組（放送コンテンツ）を選択すると、選択された番組を受信し、受信した番組は制御部１０におけるＲＡＭ１１１に一時記録され、ＲＡＭ１１１に一時記録された放送コンテンツはハードディスクデバイスなどの内部記憶装置（図示せず）や、後述する外部記録媒体装着部１６に装着されたＳＤがカードなどの外部記憶媒体１７に記録（録音、録画）される。
【００２１】
放送受信部１１は、また、テレビジョン放送またはラジオ放送を受信するにあたり、後述する現在位置検出手段により検出される車両の現在位置に基づいて車両が位置するエリアにおいて受信可能な放送局や各放送局の放送電波の周波数および放送所要時間を含む番組情報などを受信し記憶する。放送受信部１１に記憶された情報は、車載用ナビゲーション装置１が放送の受信のみを行っている場合には、表示部１３に表示されるメニュー画面や選局画面を表示する際に表示される。
【００２２】
操作部１２は、各種キーやスイッチ等から構成され、車載用ナビゲーション装置１における入力操作や、出発地、目的地の入力等を行うものである。
【００２３】
なお、操作部１２は、後述する表示部１３にタッチパネル機能を備えることにより画面上に表示されたアイコン等に触れることで入力可能としてもよい。
【００２４】
表示部１３は、地図画像や地図画像上の案内経路を他の道路と識別可能に表示するものであり、例えば液晶ディスプレイ等で構成される。
【００２５】
現在位置検出部１４は、ＧＰＳ受信手段（図示せず）を備え、ＧＰＳ受信手段により受信するＧＰＳ衛星信号から車両の現在位置を検出する。
【００２６】
現在位置検出部１４は、また車両に備えられた方位センサ２３および車速センサ２４の検出出力に基づいて現在位置を検出することもできる。この場合、車両の走行距離と走行方位とをそれぞれ検出し、これらの値を積算することによって現在位置を求める。この現在位置検出方法は、ＧＰＳ受信手段と組み合わせることで、ＧＰＳ電波を受信できないトンネル内や、誤差が生じやすい高層ビル街において現在位置を算出するのに効果的に用いられる。
【００２７】
地図記憶部１５は、各道路の交差点や分岐点などの結節点をノードとし、それぞれのノード間を結ぶ経路をリンクとした道路ノードデータ（ノードデータ）と道路リンクデータ（リンクデータ）を含む道路データを記憶する。
【００２８】
制御部１０における経路探索部１１２は、ユーザが操作部１２を介して出発地や目的地の指定を行うと、地図記憶部１５に記憶されている道路データを参照し、出発地から目的地に至る最適経路を探索し、案内経路データを作成するものである。この最適経路の探索は、現在位置またはユーザによって指定された出発地に対応する道路ノードからユーザによって指定された目的地に対応する道路ノードまでに至るリンクとノードをダイクストラ法などの各種の手法によって探索し、リンク長（リンクコスト）や所要時間などを累積し、総リンク長または総所要時間などが最短となる経路を案内経路とし、当該経路に属する道路ノードやリンクを案内経路データとして提供するものである。
【００２９】
外部記憶媒体装着部１６は、ＳＤカード等の外部記憶媒体１７を装着する装着部であり、外部記憶媒体装着部１６は、さらに外部記憶媒体１７の空きの記憶容量を検出する容量検出部１８を備えている。
【００３０】
番組時間検出部２０は、放送受信部１１が記憶する番組情報に基づいて、使用者が選択した番組、すなわち、外部記憶媒体１７に記録する番組（放送コンテンツ）の所要時間（放送所要時間）を検出する。そして番組の所要時間から、その放送コンテンツを外部記憶媒体１７に記録するのに必要な記憶容量を算出する。
【００３１】
容量比較部２１は、番組時間検出部２０が算出した放送コンテンツの記録に必要な記憶容量と容量検出部１８が検出した外部記憶媒体１７の空きの記憶容量（残容量）とを比較する。外部記憶媒体１７の空きの記憶容量が十分であり、放送コンテンツの記録に必要な記憶容量よりも大きい場合には、制御部１０はＲＡＭ１１１に一時記録された放送コンテンツを外部記憶媒体１７に記録する処理を開始する。
【００３２】
ＣＭ検出部２２は、外部記憶媒体１７に空きの記憶容量が十分になく、放送コンテンツの記録に必要な記憶容量よりも小さい場合で、制御部１０がＲＡＭ１１１に一時記録された放送コンテンツを外部記憶媒体１７に記録する処理を開始すると、放送コンテンツ中のＣＭ部分を検出する。
【００３３】
ＣＭ部分削除部２３は、ＣＭ検出部２２が検出したＣＭ部分を削除する。
【００３４】
放送コンテンツ中に含まれるＣＭの検出や削除には、上記特許文献２に開示された技術を適用することができる。
【００３５】
このようにすれば、外部記憶媒体１７に空きの記憶容量が十分になく、放送コンテンツの記録に必要な記憶容量よりも小さい場合にも、放送コンテンツ中に含まれているＣＭ部分が取り除かれて記録されるので、放送コンテンツの記録が途中で終了してしまうという不都合が生じる確率を小さくすることができる。なお、記憶媒体の容量が放送コンテンツの記憶容量に足りない場合に記録するデータのビットレートを変えて放送コンテンツの情報を圧縮して記憶する手法が採られることがあるが、このような方法を適用するにはデータ変換手段などを必要とするが、本発明によれば、ＣＭを削除することで容易に前述の不都合を解消することができるようになる。
【００３６】
次に、以上説明した本発明の実施例にかかる車載用ナビゲーション装置１の動作手順について図２を参照して説明する。
【００３７】
図２は、車載用ナビゲーション装置１における処理手順を示すフローチャートであり、このフローチャートは、車載用ナビゲーション装置１において、放送受信機能が選択され、放送受信部１１により放送を受信して視聴している際の手順を示している。
【００３８】
なお、視聴する放送コンテンツは番組情報を参照して使用者が選択済であるものとする。
【００３９】
ステップＳ１０１において外部記憶媒体装着部１６に外部記憶媒体１７が装着される。次のステップＳ１０２で、制御部１０は外部記憶媒体１７への記録（録音・録画）要求があるか否かを判別する。記録の要求がなければ、ステップＳ１１０の記録終了判別の処理に進む。
【００４０】
一方、記録要求があった場合、ステップＳ１０３の処理において放送受信部１１で受信した放送コンテンツの記録が開始されたかた否かを判別する。すなわち、使用者が選択した放送番組を放送受信部１１で受信し、その放送コンテンツをＲＡＭ１１１に一時記録する処理が開始されたか否かを判別する。記録処理が開始されていなければステップＳ１０３の判別処理を繰り返し、記録処理が開始されていればステップＳ１０４の処理に進む。
【００４１】
ステップＳ１０４の処理では、番組時間検出部２０が、放送受信部１１に記憶された番組情報に基づいて記録中の放送コンテンツの放送所要時間を検出し、外部記憶媒体１７に記録する際に必要となる記憶容量を算出する。そして、ステップＳ１０５の処理では、容量検出部１８が外部記憶媒体装着部１６に装着された外部記憶媒体１７の空きの記憶容量（残容量）を検出する。
【００４２】
そして、ステップＳ１０６の処理では、容量比較部２１において、番組時間検出部２０が算出した放送コンテンツの記録に必要な記憶容量と容量検出部１８が検出した外部記憶媒体１７の空き容量（残容量）とが比較され、外部記憶媒体１７の空きの記憶容量が十分であり、放送コンテンツの記録に必要な記憶容量よりも大きい場合には、制御部１０はＲＡＭ１１１に一時記録された放送コンテンツを外部記憶媒体１７に記録する処理を開始する。ステップＳ１１０の処理で放送コンテンツの外部記録装置１７への記録が終了したか否かを判別し、記録処理が終了していれば処理を終了する。記録処理が終了していなければ、ステップＳ１０４の処理に戻る。
【００４３】
一方、外部記憶媒体１７に空きの記憶容量が十分になく、放送コンテンツの記録に必要な記憶容量よりも小さい場合には、ステップＳ１０７の処理に進み、ＣＭ検出部２２が放送コンテンツ中のＣＭ部分を検出する。そして、ステップＳ１０８の処理において、ＣＭ部分削除部２３はＣＭ検出部２２が検出したＣＭ部分を削除し、制御部１０は、ＣＭ部分が削除された放送コンテンツを外部記憶媒体１７に記録する処理を開始する。
【００４４】
そして、ステップＳ１０９の処理で放送コンテンツの外部記録装置１７への記録が終了したか否かを判別し、記録処理が終了していれば処理を終了する。記録処理が終了していなければ、ステップＳ１０７の処理に戻り、放送コンテンツの記録終了までＣＭ削除の処理が繰り返される。
【００４５】
以上、詳細に説明したように、本発明によれば、放送コンテンツをＳＤカードなどの外部記録媒体に記録する際に、放送コンテンツの記録に要する記憶容量と外部記録媒体の残り記憶容量とを比較し、残り記憶容量が足りない場合には、放送コンテンツからコマーシャル部分をカットして記録するから、記録しようとする放送コンテンツの記憶が途中で終了してしまうという不都合が生じる確率を小さくすることができるようになる。
【図面の簡単な説明】
【００４６】
【図１】本発明の実施例にかかる車載用電子機器である車載用ナビゲーション装置の構成を示すブロック図である。
【図２】本発明の実施例にかかる車載用ナビゲーション装置における処理手順を示すフローチャートである。
【符号の説明】
【００４７】
１：      車載用ナビゲーション装置（放送記録再生装置）
１０：    制御部
１１０：  ＲＯＭ
１１１：  ＲＡＭ
１１２：  経路探索部
１１：    放送受信部
１２：    操作部
１３：    表示部
１４：    現在位置検出部
１５：    地図記憶部
１６：    外部記録媒体装着部
１７：    外部記憶媒体
１８：    容量検出部
１９：    アンテナ
２０：    番組時間検出部
２１：    容量比較部
２２：    ＣＭ検出部
２３：    ＣＭ部分削除部
【図１】
0005044455.tif 000002
【図２】
0005044455.tif 000003